(57)【特許請求の範囲】
【請求項１】
首の位置から突出した軸棒（１８，３０，５２）を有する頭部（１２，２４，４６）と、前記軸棒を挿入する中空に形成された胴体部（１４，２６，４８）とを具備し、前記軸棒（１８，３０，５２）は、前記胴体部の内部に設けた軸受け（２０，３４，５６）に摩擦増強剤を介して前記頭部と共に回転自在に保持され、前記頭部には回転中心を外れた位置に錘（１６，３２，５４）が装着されていることを特徴とする可動人形体。
【請求項２】
前記胴体部は、これに回動可能に取り付けた腕部、脚部又は翼部と、該腕部、脚部又は翼部を前記軸棒の回転に連動して回動させる回転伝達手段とを備えていることを特徴とする請求項１記載の可動人形体。
【請求項３】
前記錘は後頭部に装着してあることを特徴とする請求項１又は２記載の可動人形体。
【請求項４】
首の位置から突出した支持部材（７４）を有する頭部（６８）と、前記支持部材を挿入する中空に形成された胴体部（７０）とを具備し、前記支持部材（７４）は、前記胴体部の内部に設けた支軸（７８）に摩擦増強剤を介して前記頭部と共に回動自在に軸支され、前記頭部には回動支点から外れた位置に錘（７６）が装着されていることを特徴とする可動人形体。
【請求項５】
前記胴体部は、これに回動可能に取り付けた腕部、脚部又は翼部と、該腕部、脚部又は翼部を前記支持部材の回動に連動して回動させる回転伝達手段とを備えていることを特徴とする請求項４記載の可動人形体。
【請求項６】
前記錘は頭頂部又は後頭部に装着してあることを特徴とする請求項４又は５記載の可動人形体。
【発明の詳細な説明】
【０００１】
【発明の属する技術分野】
本発明は、動力源を用いない可動人形体に関する。
【０００２】
【従来の技術】
従来、胴体部に手、足、首などが回転あるいは回動可能に連結され、手を上げたり、足を折り曲げたり、顔の方向を変えたりできる人形が広く知られている。このような人形は、飾ったり、服を着せ変えたり、人形ごっこをして遊ぶのに適し、遊戯者の思い通りに変形することができるが、遊戯者の手が触れない部位が動くということはなかった。
【０００３】
また、ゼンマイやモータ等の動力源を用いて、歩いたり手を上げ下げする可動人形体も知られている。このような可動人形体は、ゼンマイを巻き締め、或いは電池を装填して電源スイッチをオンにしなければ動かないので、玩具店などの店頭に、パッケージに収納された状態で置かれているときは、形態変化を見ることはできなかった。
【０００４】
更に、頭部、手足などがゆっくりと動いたり、背中に設けた翼がゆっくりと開いたり閉じたりする人形も従来知られていない。
【０００５】
【発明が解決しようとする課題】
本発明の目的は、動力源を用いることなく、且つ、人が直接手を触れないにもかかわらず、頭部、手足、翼などがゆっくりと自然な速度で動く可動人形体を提供することにある。
【０００６】
【課題を解決するための手段】
本発明の可動人形体は、首の位置から突出した軸棒を有する頭部と、前記軸棒を挿入する中空に形成された胴体部とを具備し、前記軸棒は前記胴体部の内部に設けた軸受けに摩擦増強剤を介して前記頭部と共に回転自在に保持され、前記頭部には回転中心を外れた位置に錘が装着されていることを特徴としている。
【０００７】
本発明の可動人形体を横にしたり、うつぶせにしたりすると、頭部の回転中心を外れた位置に設けた錘の重さで、頭部は独自に回転し、顔の向きが変わる。この回転は、頭部と共に回転する軸棒と胴体部に設けた軸受けとの間に介在する摩擦増強剤の回転抑止力により減速され、人形が自分の意志で振り向くようにゆっくりとした自然な動きである。この動きを利用して、胴体部に取り付けられた手足、翼などがゆっくり回動する種々の可動人形体を構成できる。
【０００８】
本発明の別形態の可動人形体は、首の位置から突出した支持部材を有する頭部と、前記支持部材を挿入する中空に形成された胴体部とを具備し、前記支持部材は前記胴体部の内部に設けた支軸に摩擦増強剤を介して前記頭部と共に回動自在に軸支され、前記頭部には回動支点から外れた位置に錘が装着されていることを特徴としている。
【０００９】
この可動人形体を傾斜させると、頭部は、回動支点から外れた位置に設けた錘の重さにより、胴体部に対して回動する。この回動は、頭部と共に回動する支持部材と胴体部に設けた支軸との間に介在する摩擦増強剤の回転抑止力により減速され、人形が自分の意志で首をかしげるようにゆっくりとした自然な動きである。この動きを利用して、胴体部に取り付けられた手足、翼などがゆっくり回動する種々の可動人形体を構成できる。また、頭部の回動する力は錘によって増強され、嵩高でかなり重い手足、翼などの回動部位も回動させることができる。
【００１０】
【発明の実施の形態】
本発明の可動人形体では、錘は頭部の回転中心を外れた位置に設けてあるので、錘の重さでその位置が下になるように頭部が回転する。顔が上を向くように頭部を回転させるためには、錘を後頭部に装着するのが好ましい。
【００１１】
このような可動人形体において、例えば、前記軸棒の先端に歯車、ローラなどの回転伝達手段を設け、胴体部と別部材の手足、翼などの回動部位の付根に、先端に前記回転伝達手段と連動する歯車、ローラなどを有する軸を取付け、この軸を胴体部に回転自在に保持させると、頭部の回転が手足、翼等に回動をもたらすようにすることができる。
【００１２】
本発明の別形態の可動人形体では、錘を、頭部と一体の支持部材の回動支点より遠い位置、例えば後頭部、或いは頭頂部に設けることで、頭部の回動力が大きくなり、この力を回動部位の回動に利用することができる。従って、回動部位が嵩高で比較的重いものであっても、回動を起こすことが可能になる。例えば、支持部材が回動支点より下の位置で、円柱又は円筒部材と係合し、該円柱又は円筒部材に嵩高な手足、翼等が結合している場合、頭部が軽ければ、円柱又は円筒部材に回転を起こす力は生じないが、上記構成により頭部の回動する力が高まり、円柱又は円筒部材を回転させることができ、手足、翼等を回動させることができる。
【００１３】
本発明の可動人形体においては、摩擦増強剤の量を加減することにより、各可動部位の動作の速度を加減することができる。
【００１４】
摩擦増強剤は粘性が高く、流れ落ちることは殆どないが、後述の実施例で具体的に説明するように、軸棒と軸受けとの接触面、或いは支持部材と支軸との接触面に摩擦増強剤を保持する凹部を形成することにより、摩擦増強剤をより安定して保持すると共に摩擦増強剤の量を任意に増減することができる。
【００１５】
【実施例】
図１は本発明の第１実施例の外観を示す図、図２及び図３は概略的に描いた内部機構の断面図である。第１実施例の可動人形体１０は、別部材として形成された頭部１２と、手足を有する胴体部１４とから成る。頭部１２は中空に形成され、首の位置から下方に突出した軸棒１８を有し、後頭部には錘１６を装着している。頭部１２から延びた軸棒１８は、中空に形成された胴体部１４に挿入され、胴体部１４の内部に設けた軸受け２０に左右に約90°ずつ回転可能に保持されている。軸棒１８又は軸受け２０には、摩擦増強剤（商品名：フリクション・ダンパー用グリース、販売：タミヤ模型株式会社）が塗布してあり、この摩擦増強剤を介して軸棒１８は軸受け２０に保持されている。
【００１６】
人形体１０の頭部１２の顔と胴体部１４とが正面を向いた状態で、胴体部１４を手で持ち、胴体部１４をあちら向きにすると、胴体部１４に挿入された軸棒１８を中心として頭部１２が回転し、後頭部に装着された錘１６の作用で顔が上を向く。この回転は、頭部１２と共に回転する軸棒１８と胴体部１４に設けた軸受け２０との間に介在する摩擦増強剤の回転抑止力により減速され、ゆっくりした動きとなる。この動きは、まるで人形自身の意志で顔を動かしたかのように見える。
【００１７】
図４は、本発明の第２実施例の外観を示す図、図５及び図６は夫々概略的に描いた内部機構の正面図及び側面図である。
【００１８】
第２実施例の可動人形体２２は、夫々別部材として形成された頭部２４と、足を有する胴体部２６と、左腕２８Ｌと、右腕２８Ｒとから構成されている。後頭部に錘３２が装着してある。頭部２４は、首の位置に軸棒３０を有する。軸棒３０は胴体部２６の内部に侵入し、胴体部２６と一体に設けた水平軸受け３４（図５）に左右に約90°ずつ回転可能に保持されている。軸受け３４の軸棒３０と接する部位に摩擦増強剤が塗布してある。軸棒３０にはクラウンギア３６が取り付けてある。腕部２８Ｌ、２８Ｒは、各腕の付根から突出した軸３８Ｌ、３８Ｒにより、胴体部２６の内部の垂直軸受け４０Ｌ、４０Ｒに回転自在に保持されている。軸３８Ｌ、３８Ｒにはピニオン４２Ｌ、４２Ｒが設けられている。これらのピニオン４２Ｌ、４２Ｒはクラウンギア３６と噛み合っている。
【００１９】
この人形体２２の胴体部２６を、例えば左に傾けると、頭部２４は右にゆっくり回り、クラウンギア３６が右回転し、噛み合っているピニオン４２Ｌ、４２Ｒが夫々反対方向に回るので、左腕２８Ｌはゆっくり上がり、右腕２８Ｒはゆっくり下がる。また、胴体部２６を右に傾けると、頭部２４は左にゆっくり回り、クラウンギア３６が左回転して、噛み合っているピニオン４２Ｌ、４２Ｒが夫々反対方向に回るので、右腕２８Ｒはゆっくり上がり、左腕２８Ｌはゆっくり下がる。この動作は、人形体２４が左右を見ながらゆっくり踊っているように見える。
【００２０】
図７は、本発明の第３実施例の外観を示す図、図８及び図９は夫々概略的に描いた内部機構の正面図及び側面図である。
【００２１】
第３実施例の可動人形体４４は、夫々別部材として形成された頭部４６と、腕を有する胴体部４８と、左足５０Ｌと、右足５０Ｒとから構成されている。頭部４６は、首の位置に軸棒５２を有する。後頭部に錘５４が装着してある。軸棒５２は、胴体部４８の内部に侵入し、胴体部４８と一体に設けた軸受け５６に左右に約90°ずつ回転可能に保持されている。軸受け５６の軸棒５２と接する部位に摩擦増強剤が塗布してある。軸棒５２の下端にはクラウンギア５８が取り付けてある。左右の足５０Ｌ、５０Ｒは、各足の付根から突出した軸６０Ｌ、６０Ｒにより、胴体部４８の内部の軸受け６２Ｌ、６２Ｒに回転自在に保持されている。軸６０Ｌ、６０Ｒの先端には、ピニオン６４Ｌ、６４Ｒが設けられている。これらのピニオン６４Ｌ、６４Ｒは、クラウンギア５８に噛み合っている。
【００２２】
人形体４４の胴体部４８を向かって左に傾けると、頭部４６は向かって右にゆっくり回り、クラウンギア５８が右回転して、噛み合っているピニオン６４Ｌ、６４Ｒが夫々反対方向に回るので、左足５０Ｌは前にゆっくり上がり、右足５０Ｒは後ろにゆっくり上がる。胴体部４８を向かって右に傾けると、頭部４６は向かって左にゆっくり回り、クラウンギア５８が左回転して、噛み合っているピニオン６４Ｌ、６４Ｒが夫々反対方向に回るので、右足５０Ｒは前にゆっくり上がり、左足５０Ｌは後にゆっくり上がる。この動作は、人形体４４が左右を見ながらゆっくり歩いているように見える。
【００２３】
図１０は、本発明の第４実施例の外観を示す図、図１１は概略的に描いた内部機構の側面図、図１２、図１３及び図１４は夫々概略的に描いた内部構造の正面図である。
【００２４】
第４実施例の可動人形体６６は、頭部６８と、手足を有する胴体部７０と、翼７２Ｌ、７２Ｒとから構成されている。頭部６８は、首の位置から下方に突出した板状支持部材７４を有し、後頭部に錘７６が装着してある。板状支持部材７４は、頭部６８から延びて胴体部７０の内部に入った部分の上部に軸孔７３を有する。この軸孔７３に胴体部７０の上部に設けた支軸７８が嵌り込むことにより、頭部６８が胴体部７０に回動自在に保持されている。支軸７８又は軸孔７３には摩擦増強剤が塗布してある。板状支持部材７４の下部は湾曲し、縦長孔７５が形成されている。胴体内には、縦に平行な２本の軸８０Ｌ、８０Ｒが回転自在に保持されている。
図１１及び図１２に示すように、一方の軸８０Ｌには、円柱部材８２Ｌが軸着し、その正面側から前方に突出した係合突起８４が、板状支持部材７４の縦長孔７５に移動自在に嵌合している。胴体部７０の背中には、２個の縦長孔７１Ｌ（７１Ｒは図示省略）が縦に平行に形成され、その一方の縦長孔７１Ｌを左側の翼７２Ｌの付根が通り、前記円柱部材８２Ｌの突起８４と反対側の面（背面側）に取り付けられている。軸８０Ｌ上で円柱部材８２Ｌの下部に歯車８６Ｌが軸着し、この歯車８６Ｌと噛み合う歯車８６Ｒが他方の軸８０Ｒに固着され、その上方にもう１つの円柱部材８２Ｒが軸着している。この円柱部材８２Ｒの背面側の面に、右側の翼７２Ｒの付根が他方の縦長孔７１Ｒを通って取り付けられている。
【００２５】
図１３に示すように、人形体６６の胴体部７０を向かって左に傾けると、頭部６８は錘７６の重力で軸７８を支点としてゆっくり左に回動し、板状支持部材７４の下端が右に回動し、円柱部材８２Ｌは向かって右に回転し、歯車８６Ｌも向かって右に回転する。歯車８６Ｌと噛み合っている歯車８６Ｒは、向かって左に回転し、円柱部材８２Ｒも向かって左に回転する。円柱部材８２Ｌ、８２Ｒに取り付けられている翼７２Ｌ、７２Ｒはゆっくり閉じる。
【００２６】
図１４に示すように、人形体６６の胴体部７０を向かって右に傾けると、頭部６８が錘７６の作用で軸７８を支点として右にゆっくり回動し、板状支持部材７４の下端が左に回動する。このため、円柱部材８２Ｒは左に回転し、歯車８６Ｌも左に回転する。歯車８６Ｌと噛み合っている歯車８６Ｒは右に回転し、円柱部材８２Ｒも右に回転する。これにより、円柱部材８２Ｌ、８２Ｒに取り付けられている翼７２Ｌ、７２Ｒは、ゆっくり開く。
【００２７】
このようにして、人形体６６を右又は左に傾けると、頭部６８はゆっくり右又は左に傾き、背中の翼７２Ｌ、７２Ｒはゆっくり開いたり閉じたりする。
【００２８】
上記第１乃至第３実施例の可動人形体１０、２２、４４において、軸棒と軸受けの間に介在する摩擦増強剤は、粘性が高く流れ出す心配はあまりないが、図１５に示すように、軸受け（例えば、第１実施例の２０）の内周面にリング状凹部８８を設けて摩擦増強剤を保持させるか、或いは図１６に示すように、軸棒（例えば、第１実施例の１８）の外周面にリング状の凹部９０を設けて摩擦増強剤を保持させるようにしてもよい。
【００２９】
また、第４実施例の可動人形体６６においても、図１７及び図１８に示すように、板状支持部材７４には、軸孔７３に代えて表裏両面に夫々リング状の凸部９２、９２’を形成し、該凸部９２、９２’に嵌合するリング状の凹部９４、９４’を向い合う端面に形成した一対の支軸部材９６、９６’で挟み込み、その凹部９４、９４’に摩擦増強剤を保持させるようにしてもよい。或いはこれと逆に、一対の支軸部材９６、９６’の端面にリング状凸部を、板状支持部材７４にリング状凹部をそれぞれ形成し、その凹部に摩擦増強剤を保持させるようにしてもよい。
【００３０】
以上、本発明の可動人形体の種々の形状、機構及び動作について、実施例に基づいて説明したが、本発明は上記実施例に限定されるものではない。例えば、可動人形体の形状は、人間以外の動物形状であってもよく、また、頭部と共に２種以上の部位を動作させる機構とすることも可能である。
【００３１】
【発明の効果】
本発明の可動人形体は特別な動力源を用いていないので、ゼンマイを巻いたり電池等の電源に接続したりする必要がなく、パッケージに収納された状態でも、パッケージを傾けるだけで人形の頭部その他の部位の動きを発生させることができ、消費者は店頭でその動きを確かめて購入することができる。また、頭部の動きにつれて手足等の部位が動くので、意外性が大きい。更に、各部位の動作がゆっくりしているので、人形の意志で首を動かしたり手足や翼等を動かしているように見え、非常に愛らしい。
【図面の簡単な説明】
【図１】  本発明の第１実施例の外観を示す斜視図。
【図２】  第１実施例の主要構成の断面図。
【図３】  第１実施例の主要構成の断面図。
【図４】  本発明の第２実施例の外観を示す斜視図。
【図５】  第２実施例の主要構成の正面図。
【図６】  第２実施例の主要構成の側面図。
【図７】  本発明の第３実施例の外観を示す斜視図。
【図８】  第３実施例の主要構成の正面図。
【図９】  第３実施例の主要構成の側面図。
【図１０】  本発明の第４実施例の外観を示す正面図。
【図１１】  第４実施例の主要構成の側面図。
【図１２】  第４実施例の主要構成の正面図。
【図１３】  第４実施例の主要構成の正面図。
【図１４】  第４実施例の主要構成の正面図。
【図１５】  軸棒及び軸受けの異なる例を示す縦断面図。
【図１６】  棒軸及び軸受けの別の例を示す縦断面図。
【図１７】  支持部材及び支軸部材の異なる例を示す縦断面図。
【図１８】  図１７の支持部材と支軸部材の関係を示す端面図。
【符号の説明】
１０，２２，４４，６６…可動人形体、１２，２４，４６，６８…頭部、１４，２６，４８，７０…胴体部、１６，３２，５４，７６…錘、１８，３０，５２…軸棒、２０，３４，５６…軸受け、２８Ｌ，２８Ｒ…腕部、３６，５８…クラウンギア、３８Ｌ，３８Ｒ…軸、４２Ｌ，４２Ｒ，６４Ｌ，６４Ｒ…ピニオン、５０Ｌ，５０Ｒ…脚部、７１Ｌ，７１Ｒ…縦長孔、７２Ｌ，７２Ｒ…翼、７４…板状支持部材、７５…縦長孔、７８…支軸、８２Ｌ，８２Ｒ…円柱部材、８４…係合突起、８６Ｌ，８６Ｒ…歯車、８８，９０，９４，９４’…凹部、９２，９２’…凸部、９６，９６’…支軸部材。
【図１】
0003641029.tif 000002
【図２】
0003641029.tif 000003
【図３】
0003641029.tif 000004
【図４】
0003641029.tif 000005
【図５】
0003641029.tif 000006
【図６】
0003641029.tif 000007
【図７】
0003641029.tif 000008
【図８】
0003641029.tif 000009
【図９】
0003641029.tif 000010
【図１０】
0003641029.tif 000011
【図１１】
0003641029.tif 000012
【図１２】
0003641029.tif 000013
【図１３】
0003641029.tif 000014
【図１４】
0003641029.tif 000015
【図１５】
0003641029.tif 000016
【図１６】
0003641029.tif 000017
【図１７】
0003641029.tif 000018
【図１８】
0003641029.tif 000019